(57)【要約】      （修正有）【課題】コンピュータと、マウスやトラックボールとの間の信号の送受信には影響を与えることなく、マウスやトラックボールからコンピュータに送信される信号を信号分岐ラインから取り出し、その信号に基づいて所定の機能を発揮し得るケーブル中継装置を提供する。【解決手段】接続ケーブル４に設けられたラインに対応するラインを有すると共に、該中継プラグ５ｅと、中継ソケット５ｆとを接続する中継ケーブル５とを設ける。さらに、該中継ケーブル５のうちでマウス３またはトラックボールからの信号をコンピュータ２に送信する信号送信ラインから分岐する信号分岐ラインと、該信号分岐ラインにより送信された信号に基づいて、フィギア７を駆動するフィギア駆動装置のモータを制御する制御部とを有する。【選択図】図１
0003171030.tif 000002
【実用新案登録請求の範囲】
【請求項１】
コンピュータと、マウスまたはトラックボールとの接続ケーブルを中継するケーブル中継装置であって、
前記コンピュータに設けられるソケットに接続される中継プラグと、
前記マウスまたはトラックボールの接続ケーブルの端部に設けられるプラグに接続される中継ソケットと、
前記接続ケーブルに設けられたラインに対応するラインを有すると共に、前記中継プラグと、前記中継ソケットとを接続する中継ケーブルと、
前記中継ケーブルのうちで前記マウスまたはトラックボールからの信号を前記コンピュータに送信する信号送信ラインから分岐する信号分岐ラインと、
前記信号分岐ラインにより送信された信号に基づいて、フィギアを駆動するフィギア駆動装置を制御する制御手段と、
を有することを特徴とするケーブル中継装置。
【請求項２】
前記制御手段は、前記信号分岐ラインにより送信された信号に基づいて、発光部を発光させる発光装置、スピーカから音声を発する音声装置、蒸気を発生する加湿装置、芳香を発生する芳香装置のうちの少なくとも１つを制御することを特徴とする請求項１に記載のケーブル中継装置。
【請求項３】
前記信号分岐ラインにより送信された信号情報を記憶する記憶手段を有し、
前記制御手段は、前記記憶手段に記憶された信号情報から前記マウスまたはトラックボールからの信号の発生回数または前記マウスまたはトラックボールの移動量に対応して前記フィギア駆動装置、前記発光装置、前記音声装置、前記加湿装置、前記芳香装置のうちの少なくとも１つを制御することを特徴とする請求項１または請求項２に記載のケーブル中継装置。
【請求項４】
前記接続ケーブル及び前記中継ケーブルはＵＳＢケーブルで構成され、該中継ケーブルのうちで電源ラインから分岐する電源分岐ラインを有し、
前記電源分岐ラインにより前記フィギア駆動装置、前記発光装置、前記音声装置、前記加湿装置、前記芳香装置のうちの少なくとも１つと、前記制御手段とに電力を供給することを特徴とする請求項１〜３のいずれか１項に記載のケーブル中継装置。
【考案の詳細な説明】
【技術分野】
【０００１】
本考案は、コンピュータと、マウスまたはトラックボールとの接続ケーブルを中継するケーブル中継装置に関するものである。
【背景技術】
【０００２】
従来、コンピュータと、マウスやトラックボールとは、ＰＳ２ケーブル、ＵＳＢ（Universal Serial Bus）ケーブル、シリアルケーブル等の接続ケーブルを介して接続され、マウスやトラックボールの移動方向や移動量に応じた信号やクリック信号等を接続ケーブルを介してコンピュータに伝達し、それ等の信号に応じて該コンピュータのディスプレイ上のカーソルを移動したり選択や実行等の種々の処理を行っている。
【０００３】
特許文献１、２、３には、コンピュータと、マウスまたはトラックボールとを中継キーボードを介して接続されるものが提案されている。また、特許文献４には玩具のパソコンのマウスを模したスイッチを押すと点灯ランプが点灯したり、スピーカから音声を発音させることが記載されている。
【先行技術文献】
【特許文献】
【０００４】
【特許文献１】特開２００２−１３２４２２号公報
【特許文献２】特開２００２−２１５３２８号公報
【特許文献３】実用新案登録第３０７７０７７号公報
【特許文献４】実用新案登録第３１０２３５４号公報
【考案の概要】
【考案が解決しようとする課題】
【０００５】
しかしながら、前述の各特許文献１〜４の技術では、コンピュータと、マウスやトラックボールとの間の信号の送受信には影響を与えることなく、マウスやトラックボールからコンピュータに送信される信号を信号分岐ラインから取り出し、その信号に基づいて所定の機能を発揮し得るものではなかった。
【０００６】
本考案は前記課題を解決するものであり、その目的とするところは、コンピュータと、マウスやトラックボールとの間の信号の送受信には影響を与えることなく、マウスやトラックボールからコンピュータに送信される信号を信号分岐ラインから取り出し、その信号に基づいて所定の機能を発揮し得るケーブル中継装置を提供せんとするものである。
【課題を解決するための手段】
【０００７】
前記目的を達成するための本考案に係るケーブル中継装置の第１の構成は、コンピュータと、マウスまたはトラックボールとの接続ケーブルを中継するケーブル中継装置であって、前記コンピュータに設けられるソケットに接続される中継プラグと、前記マウスまたはトラックボールの接続ケーブルの端部に設けられるプラグに接続される中継ソケットと、前記接続ケーブルに設けられたラインに対応するラインを有すると共に、前記中継プラグと、前記中継ソケットとを接続する中継ケーブルと、前記中継ケーブルのうちで前記マウスまたはトラックボールからの信号を前記コンピュータに送信する信号送信ラインから分岐する信号分岐ラインと、前記信号分岐ラインにより送信された信号に基づいて、フィギアを駆動するフィギア駆動装置を制御する制御手段とを有することを特徴とする。
【０００８】
また、本考案に係るケーブル中継装置の第２の構成は、前記第１の構成において、前記制御手段は、前記信号分岐ラインにより送信された信号に基づいて、発光部を発光させる発光装置、スピーカから音声を発する音声装置、蒸気を発生する加湿装置、芳香を発生する芳香装置のうちの少なくとも１つを制御することを特徴とする。
【０００９】
また、本考案に係るケーブル中継装置の第３の構成は、前記第１、第２の構成において、前記信号分岐ラインにより送信された信号情報を記憶する記憶手段を有し、前記制御手段は、前記記憶手段に記憶された信号情報から前記マウスまたはトラックボールからの信号の発生回数または前記マウスまたはトラックボールの移動量に対応して前記フィギア駆動装置、前記発光装置、前記音声装置、前記加湿装置、前記芳香装置のうちの少なくとも１つを制御することを特徴とする。
【００１０】
また、本考案に係るケーブル中継装置の第４の構成は、前記第１〜第３の構成において、前記接続ケーブル及び前記中継ケーブルはＵＳＢケーブルで構成され、該中継ケーブルのうちで電源ラインから分岐する電源分岐ラインを有し、前記電源分岐ラインにより前記フィギア駆動装置、前記発光装置、前記音声装置、前記加湿装置、前記芳香装置のうちの少なくとも１つと、前記制御手段とに電力を供給することを特徴とする。
【考案の効果】
【００１１】
本考案に係るケーブル中継装置の第１の構成によれば、中継ケーブルと接続ケーブルによりコンピュータと、マウスまたはトラックボールとが直接接続されるためコンピュータと、マウスやトラックボールとの間の信号の送受信には影響を与えることがない。中継ケーブルのうちでマウスまたはトラックボールからの信号をコンピュータに送信する信号送信ラインから信号分岐ラインが分岐され、該信号分岐ラインからマウスまたはトラックボールからコンピュータに送信される信号を取り出すことができる。信号分岐ラインから取り出した信号に基づいて、フィギアを駆動するフィギア駆動装置を制御手段により制御することが出来る。
【００１２】
本考案に係るケーブル中継装置の第２の構成によれば、信号分岐ラインから取り出した信号に基づいて、例えば、フィギアに設けられた発光部を発光させる発光装置、スピーカから音声を発する音声装置、蒸気を発生する加湿装置、芳香を発生する芳香装置のうちの少なくとも１つを制御手段により制御することが出来る。
【００１３】
本考案に係るケーブル中継装置の第３の構成によれば、記憶手段に記憶された信号情報からマウスまたはトラックボールからの信号の発生回数、または該マウスまたはトラックボールの移動量に対応してフィギア駆動装置、発光装置、音声装置、加湿装置、芳香装置のうちの少なくとも１つを制御することが出来る。
【００１４】
本考案に係るケーブル中継装置の第４の構成によれば、ＵＳＢ（Universal Serial Bus）ケーブルで構成される中継ケーブルのうちで電源ラインから分岐する電源分岐ラインによりフィギア駆動装置、発光装置、音声装置、加湿装置、芳香装置のうちの少なくとも１つと制御手段とに電力を供給することが出来る。信号分岐ラインにより送信された信号情報を記憶する記憶手段を有する場合には、該記憶手段にも電力を供給することが出来る。
【図面の簡単な説明】
【００１５】
【図１】本考案に係るケーブル中継装置の一例として、信号分岐ラインにより送信された信号に基づいて、フィギアを駆動するフィギア駆動装置を有する場合の一例を示す斜視説明図である。
【図２】（ａ）は本考案に係るケーブル中継装置の一例として、信号分岐ラインにより送信された信号に基づいて、フィギアを駆動するフィギア駆動装置を有する場合の一例を示す制御系のブロック図、（ｂ）は本考案に係るケーブル中継装置の一例として、信号分岐ラインにより送信された信号に基づいて、フィギアを駆動するフィギア駆動装置、発光部を発光させる発光装置、スピーカから音声を発する音声装置、蒸気を発生する加湿装置、芳香を発生する芳香装置を有する場合の一例を示す制御系のブロック図である。
【考案を実施するための形態】
【００１６】
図により本考案に係るケーブル中継装置の一実施形態を具体的に説明する。
【００１７】
図１及び図２（ａ）において、１はノート型パーソナルコンピュータ等のコンピュータ２と、マウス３または図示しないトラックボールとの接続ケーブル４を中継するケーブル中継装置である。本実施形態ではマウス３の一例について説明するが、マウス３の代わりに図示しないトラックボールを使用することも出来る。
【００１８】
ケーブル中継装置１はコンピュータ２に設けられるソケット２ａに接続される中継プラグ５ｅと、マウス３または図示しないトラックボールの接続ケーブル４の端部に設けられるプラグ４ｅに接続される中継ソケット５ｆと、接続ケーブル４に設けられた電源ラインとなるＶccライン４ａ及びＧＮＤ（接地）ライン４ｄ、コンピュータ２からの信号をマウス３または図示しないトラックボールが受信する信号受信ライン４ｂ、マウス３または図示しないトラックボールからの信号をコンピュータ２に送信する信号送信ライン４ｃにそれぞれ対応する電源ラインとなるＶccライン５ａ及びＧＮＤ（接地）ライン５ｄ、コンピュータ２からの信号をマウス３または図示しないトラックボールが受信する信号受信ライン５ｂ、マウス３または図示しないトラックボールからの信号をコンピュータ２に送信する信号送信ライン５ｃを有する中継ケーブル５を有する。中継ケーブル５の各ラインは中継プラグ５ｅと、中継ソケット５ｆにそれぞれ設けられた端子に接続される。本実施形態の接続ケーブル４及び中継ケーブル５は、ＵＳＢ（Universal Serial Bus）ケーブルで構成される。
【００１９】
ケーブル中継装置１には、中継ケーブル５のうちでマウス３または図示しないトラックボールからの信号をコンピュータ２に送信する信号送信ライン５ｃから分岐する信号分岐ライン６ｃと、マウス３または図示しないトラックボールにコンピュータ２から電力を供給する電源ラインとなるＶccライン５ａ及びＧＮＤライン５ｄからそれぞれ分岐する電源分岐ラインとなるＶcc分岐ライン６ａ及びＧＮＤ分岐ライン６ｄが設けられている。
【００２０】
更に、ケーブル中継装置１には、信号分岐ライン６ｃにより送信された信号に基づいて、フィギア７を駆動するフィギア駆動装置に設けられる駆動源となるモータ７ａを制御する制御手段となる制御部８を有する。
【００２１】
制御部８は信号分岐ライン６ｃにより送信された信号に基づいて、フィギア７を駆動するモータ７ａの駆動タイミングを生成し、フィギア駆動装置に設けられるフィギア駆動回路によりモータ７ａを駆動してフィギア７を動作させる。フィギア７はモータ７ａの回転駆動力が図示しないギア列、カム部材、リンク機構等により伝達されて手足や頭を動作させることができる。
【００２２】
中継ケーブル５のうちでコンピュータ２から電力を供給する電源ラインとなるＶccライン５ａ及びＧＮＤライン５ｄからそれぞれ分岐する電源分岐ラインとなるＶcc分岐ライン６ａ及びＧＮＤ分岐ライン６ｄによりフィギア７を駆動するフィギア駆動装置に設けられるモータ７ａ、制御部８、記憶部９に電力が供給される。
【００２３】
フィギア７は、マウス３または図示しないトラックボールからの信号に対応してリアルタイムに反応することが出来、フィギア７を動作させるための専用のソフトウエアを必要としないためコンピュータ２内にフィギア７を動作させるための専用のソフトウエアをインストールする必要が無い。
【００２４】
フィギア７は、ダンス、或いは仮面ライダー（登録商標）等のヒーロー、プリキュア（登録商標）等のヒロインの変身姿や決めポーズ動作をマウス３または図示しないトラックボールからの信号に対応して制御部８がフィギア駆動装置に設けられるモータ７ａを駆動制御することで行わせることができる。
【００２５】
図２（ｂ）はケーブル中継装置１に、フィギア７を駆動するフィギア駆動装置のモータ７ａ、発光部10を発光させる発光装置、スピーカ11から音声を発する音声装置、蒸気を発生する超音波加湿装置12、芳香を発生する芳香装置13を制御部８により制御する構成としたものである。尚、フィギア７に設けられたＬＥＤ（発光ダイオード）等の発光部10を発光させる発光装置、フィギア７に設けられたスピーカ11から音声を発する音声装置、フィギア７に設けられた蒸気を発生する加湿装置12、フィギア７に設けられた芳香を発生する芳香装置13を制御部により制御することでも良い。例えば、フィギア７の動作に連動して、決め台詞の言葉、音楽、効果音、光、超音波加湿装置12により蒸気を噴出して汽車の煙や火山の噴煙を模式する等、或いは、精油（エッセンシャルオイル）をアルコールやキャリアオイルなどで希釈したアロマオイルをバーナーなどの加熱器具を使いて芳香を発生することが出来る。
【００２６】
更に、ケーブル中継装置１には、信号分岐ライン６ｃにより送信された信号情報を記憶する記憶手段となる記憶部９を有する。制御部８は、記憶部９に記憶された信号情報からマウス３または図示しないトラックボールからの信号の発生回数、または該マウス３または図示しないトラックボールの移動量に対応してフィギア駆動装置のモータ７ａ、発光部10を発光させる発光装置、スピーカ11から音声を発する音声装置、蒸気を発生する加湿装置12、芳香を発生する芳香装置13を制御部８により制御することができる。
【００２７】
例えば、フィギア７を駆動するタイミングとして、マウス３または図示しないトラックボールからの信号の発生回数をカウントし、または該マウス３または図示しないトラックボールの移動量を積算し、それらの値が予め設定した所定の閾値を超えた場合にフィギア７を所定の時間だけで駆動する構成とすることも出来る。
【００２８】
また、マウス３または図示しないトラックボールからのクリック信号に対応して、制御部８が音声装置を制御してスピーカ11から猫や犬や鳥等の動物の鳴き声を発生することも出来る。また、マウス３または図示しないトラックボールからのクリック信号に対応して、制御部８が発光装置を制御してロボット等のフィギア７の目に設けられたＬＥＤ（発光ダイオード）等の発光部10を発光させることも出来る。
【００２９】
中継ケーブル５のうちでコンピュータ２から電力を供給する電源ラインとなるＶccライン５ａ及びＧＮＤライン５ｄからそれぞれ分岐する電源分岐ラインとなるＶcc分岐ライン６ａ及びＧＮＤ分岐ライン６ｄによりフィギア７を駆動するフィギア駆動装置に設けられるモータ７ａ、発光部10を発光させる発光装置、スピーカ11から音声を発する音声装置、蒸気を発生する加湿装置12、芳香を発生する芳香装置13、制御部８、記憶部９に電力が供給される。
【００３０】
マウス３または図示しないトラックボールからの信号に対応してリアルタイムに反応することが出来、フィギア７を動作させたり、発光部10を発光させたり、スピーカ11から音声を発生させたり、蒸気を発生させたり、芳香を発生させるための専用のソフトウエアを必要としないためコンピュータ２内にそれらを動作させるための専用のソフトウエアをインストールする必要が無い。
【００３１】
上記構成によれば、中継ケーブル５と接続ケーブル４によりコンピュータ２と、マウス３または図示しないトラックボールとが直接接続されるためコンピュータ２と、マウス３やトラックボールとの間の信号の送受信には影響を与えることがなく、コンピュータ２の操作やデータに影響を与えることが無い。
【００３２】
中継ケーブル５のうちでマウス３または図示しないトラックボールからの信号をコンピュータ２に送信する信号送信ライン５ｃから信号分岐ライン６ｃが分岐され、該信号分岐ライン６ｃからマウス３または図示しないトラックボールからコンピュータ２に送信される信号を取り出すことができる。信号分岐ライン６ｃから取り出した信号に基づいて、フィギア７を駆動するフィギア駆動装置、発光部10を発光させる発光装置、スピーカ11から音声を発する音声装置、蒸気を発生する加湿装置12、芳香を発生する芳香装置13を制御部８により制御することが出来る。
【００３３】
また、記憶部９に記憶された信号情報からマウス３または図示しないトラックボールからの信号の発生回数、または該マウス３または図示しないトラックボールの移動量に対応して、フィギア駆動装置に設けられるモータ７ａ、発光部10を発光させる発光装置、スピーカ11から音声を発する音声装置、蒸気を発生する加湿装置12、芳香を発生する芳香装置13をそれぞれ制御することが出来る。
【００３４】
また、ＵＳＢ（Universal Serial Bus）ケーブルで構成される中継ケーブル５のうちで電源ラインとなるＶccライン５ａ及びＧＮＤライン５ｄからそれぞれ分岐する電源分岐ラインとなるＶcc分岐ライン６ａ及びＧＮＤ分岐ライン６ｄによりフィギア７を駆動するフィギア駆動装置に設けられるモータ７ａ、発光部10を発光させる発光装置、スピーカ11から音声を発する音声装置、蒸気を発生する加湿装置12、芳香を発生する芳香装置13、制御部８、記憶部９に電力を供給することが出来、それらの各装置に別途、電源を用意する必要が無い。
【００３５】
尚、フィギア７を駆動するフィギア駆動装置に設けられるモータ７ａ、発光部10を発光させる発光装置、スピーカ11から音声を発する音声装置、蒸気を発生する加湿装置12、芳香を発生する芳香装置13、制御部８、記憶部９に別途電源を用意して電力を供給する構成とすれば、ＵＳＢ（Universal Serial Bus）ケーブル以外にもＰＳ２ケーブルやシリアルケーブル等の各種の接続ケーブルのケーブル中継装置として適用することも出来る。
【００３６】
尚、図１に示すように中継ケーブル５が外部に露出せず、ケーブル中継装置１のケース内に中継ケーブル５を内蔵すると共に、該ケーブル中継装置１のケースの外周部に中継プラグ５ｅを直接取り付けた構成としても良い。
【産業上の利用可能性】
【００３７】
本考案の活用例として、コンピュータと、マウスまたはトラックボールとの接続ケーブルを中継するケーブル中継装置に適用出来る。
【符号の説明】
【００３８】
１    …ケーブル中継装置
２    …コンピュータ
２ａ  …ソケット
３    …マウス
４    …接続ケーブル
４ａ  …Ｖccライン(電源ライン)
４ｂ  …信号受信ライン
４ｃ  …信号送信ライン
４ｄ  …ＧＮＤライン(電源ライン)
４ｅ  …プラグ
５    …中継ケーブル
５ａ  …Ｖccライン(電源ライン)
５ｂ  …信号受信ライン
５ｃ  …信号送信ライン
５ｄ  …ＧＮＤライン(電源ライン)
５ｅ  …中継プラグ
５ｆ  …中継ソケット
６ａ  …Ｖcc分岐ライン（電源分岐ライン）
６ｃ  …信号分岐ライン
６ｄ  …ＧＮＤ分岐ライン（電源分岐ライン）
７    …フィギア
７ａ  …モータ
８    …制御部（制御手段）
９    …記憶部（記憶手段）
10    …発光部
11    …スピーカ
12    …加湿装置
13    …芳香装置
【図１】
0003171030.tif 000003
【図２】
0003171030.tif 000004